(57)【要約】【課題】  従来のＬＥＤ式表示装置にあっては、字幕式表示装置のように同じ表示パターンを長時間表示すると、点灯しているＬＥＤが劣化して輝度が低下し、また、昼間でもＬＥＤに通電しなければ表示できないため電力の消費量が多くなるといった問題があった。【解決手段】  ケース１内に文字や図柄が描かれている少なくとも１つの表示パターン３１が形成された表示幕３と、該表示幕をケースの窓１１に表示パターンが表示可能なように前記表示幕を可変する駆動部２３，２４とから構成した表示幕巻取り手段２と、前記表示幕の裏面側に白色表示が可能なＬＥＤ４１ａをマトリックス状に配置したＬＥＤ表示手段４とから構成した情報表示装置である。【選択図】        図１
2006113231.tif 000002
【特許請求の範囲】
【請求項１】
ケース内に文字や図柄が描かれている少なくとも１つの表示パターンが形成された表示幕と、該表示幕をケースの窓に表示パターンが表示可能なように前記表示幕を可変する駆動部とから構成した表示幕巻取り手段と、前記表示幕の裏面側に白色表示が可能なＬＥＤをマトリックス状に配置したＬＥＤ表示手段とから構成し、前記ケースの窓に前記表示幕による表示パターンが表示されていない状態において、前記ＬＥＤ表示手段で緊急情報やイベント情報等の情報を表示するようにしたことを特徴とする情報表示装置。
【請求項２】
前記表示幕の文字や図柄の表示パターンが前記ケースの窓から表示されている状態時に、前記ＬＥＤ表示手段を点灯して表示幕の内部照明として利用することを特徴とする請求項１記載の情報表示装置。
【請求項３】
前記ＬＥＤは少なくとも２色のＬＥＤからなり、２色を同時点灯した時に混合色によって白色を表示することを特徴とする請求項１および２の情報表示装置。
【発明の詳細な説明】
【技術分野】
【０００１】
本発明は、字幕式表示装置とＬＥＤ（発光ダイオード）式表示装置とを一体化し、常用して用いる表示項目を表示する場合には字幕式表示で行い、字幕式表示に無い緊急的な情報や表示項目を頻繁に変更するような表示を行う場合にはＬＥＤ式表示で行う情報表示装置に関する。
【背景技術】
【０００２】
従来において情報表示装置としては、文字や図柄を表示した表示パターンを複数描いた表示幕をモータ駆動によって移動して１つの表示体をケースの窓から表示する字幕式表示装置と、非特許文献１，２で開示されている異なる色を発光する２個以上のＬＥＤをマトリックス状に配置したユニットを、ケース内に縦横に多数配置し、前記ＬＥＤを点滅制御することで文字や図柄を表示するＬＥＤ式表示装置とが存在する。
【非特許文献１】名古屋電機工業株式会社が２００２年４月に配付した総合カタログの第６０頁「マルチパターン式情報板」
【非特許文献２】名古屋電機工業株式会社が２００２年４月に配付した総合カタログの第８８頁「河川情報板」
【発明の開示】
【発明が解決しようとする課題】
【０００３】
ところで、前記した従来例における字幕式表示装置にあっては、表示幕に文字や図柄を印刷した精彩な表示パターンであるから輝点の組み合わせにより表示を行うＬＥＤ表示装置に比べ見やすいといったメリットを有するが、表示パターンの数には制限があるため緊急情報の表示や日程変更を伴うイベント情報等の表示には利用できないといった問題があった。
【０００４】
一方、ＬＥＤ式表示装置にあっては、前記した字幕式表示装置による制限を解消することはできるが、字幕式表示装置に代えてＬＥＤ式表示装置によって字幕式表示装置のように同じ表示パターン（例えば、「川をきれいに」や「交通安全運動月間」）を長時間表示すると、点灯しているＬＥＤが劣化して輝度が低下し、また、昼間でもＬＥＤに通電しなければ表示できないため電力の消費量が多く、さらに、字幕式表示装置と比較してドット表示であることから表示が粗くなるといった問題があった。
【０００５】
本発明は前記した問題点を解決せんとするもので、その目的とするところは、常用する表示を行う場合には字幕式表示装置の表示パターンに記載されている情報を表示し、表示パターンには無い緊急情報やイベント情報を表示する場合には、前記表示幕の印刷が施されていない透明パターンや表示幕の無い部分を介してＬＥＤ表示装置のＬＥＤを点灯して情報を表示することで、１つの表示装置で字幕表示とＬＥＤ表示との切り換えによって、あらゆる情報を互いの装置の長所を生かして表示することができるようにした情報表示装置を提供せんとするにある。
【課題を解決するための手段】
【０００６】
本発明の情報表示装置は前記した目的を達成せんとするもので、請求項１の手段は、ケース内に文字や図柄が描かれている少なくとも１つの表示パターンが形成された表示幕と、該表示幕をケースの窓に表示パターンが表示可能なように前記表示幕を可変する駆動部とから構成した表示幕巻取り手段と、前記表示幕の裏面側に白色表示が可能なＬＥＤをマトリックス状に配置したＬＥＤ表示手段とから構成し、前記ケースの窓に前記表示幕による表示パターンが表示されていない状態において、前記ＬＥＤ表示手段で緊急情報やイベント情報等の情報を表示するようにしたことを特徴とする。
【０００７】
請求項２の手段は、前記した請求項１において、前記表示幕の文字や図柄の表示パターンが前記ケースの窓から表示されている状態時に、前記ＬＥＤ表示手段を点灯して表示幕の内部照明として利用することを特徴とする。
【０００８】
請求項３の手段は、前記した請求項１および２において、前記ＬＥＤは少なくとも２色のＬＥＤからなり、２色を同時点灯した時に混合色によって白色を表示することを特徴とする。
【発明の効果】
【０００９】
本発明は前記したように、表示幕の表示パターンを表示している状態において、緊急情報やイベント情報等の表示幕には無い情報を表示する場合に、表示幕による表示パターンが表示されていない状態でＬＥＤ表示手段におけるＬＥＤで形成した文字や図柄を表示するようにしたので、別々の装置で表示されていた情報を、１つの表示装置によって表示することが可能であり、また、長時間同じ情報を表示する場合には表示幕によって行うことで、従来のＬＥＤ式表示装置で同じ情報を長時間表示するものに対して特定のＬＥＤの輝度のみが劣化するのを防止できると共に電力の省エネ化を図ることができる。
【００１０】
また、表示幕により表示されている状態において、必要に応じて前記ＬＥＤ表示手段を白色で点灯することで、表示幕に対してバックライトとしての役目をさせることができるので、バックライト用の別の照明灯を必要としない。
【発明を実施するための最良の形態】
【００１１】
本発明は、常用して表示する表示パターンは字幕式表示手段によって表示し、緊急的な情報や表示内容を頻繁に変更する表示パターンを表示する場合には、字幕式表示手段における表示パターンが表示されていない状態において、表示幕の裏面に配置されたＬＥＤ表示手段を駆動して、ＬＥＤにより情報を表示するようにした。
【実施例１】
【００１２】
以下、本発明の情報表示装置の一実施例を図面と共に説明する。
図１、図２において、１はケースにして、表面側にはガラスや樹脂からなる透明板が取付けられている窓１１が形成されている。２は表示幕巻取り手段にして、内部に後述する表示幕３を巻き取る複数本（実施例では４本）の巻取り軸２１と、該巻取り軸２１の一端が前記ケース１内に回転自在に軸支された支持板２２と、ケース１内に固定され出力軸が前記支持板２２の他端に接続されたサーボモータ２３と、前記支持板２２に取付けられ前記各巻取り軸２１を回転させる電磁クラッチ付きのサーボモータ２４とから構成されている。
【００１３】
３は前記各巻取り軸２１のそれぞれに巻かれている、例えば、図３（ａ）〜（ｃ）に示す「川をきれいに」の文字と図柄、「川は友だち！河川愛護月間」の文字と図柄、「増水に注意」の文字と図柄等の表示パターン３１が印刷された表示幕であり、それぞれの表示幕３の下端には重り３２が取付けられている。なお、各表示パターン３１の大きさはケース１の窓１１と略同じ大きさに形成されている。また、前記表示幕巻取り手段２と前記表示幕３とによって字幕表示手段が形成されている。
【００１４】
４は前記したケース１内の前記表示幕３の裏面側に取付けられたＬＥＤ表示手段にして、赤色と青緑色の光を発光するＬＥＤチップ（発光素子）を１つのパッケージに収容し混合色が白色となるＬＥＤ（ＬＥＤランプ）４１ａを図示しない基板に対してマトリックス状に配置したユニット４１を図１に示すように窓１１に対して縦横に多数配置したものである。なお、ＬＥＤとしては、前記赤色と青緑色の光を発光する２色のＬＥＤに限定されるものではなく、黄緑と青色の光を発光する２色のＬＥＤで白色を表示してもよく、混合色が白色となる赤色と緑色および青色の光を発光する３色のＬＥＤであってもよい。
【００１５】
なお、前記したＬＥＤ表示手段４は、表示幕３の文字や図柄が描かれている表示パターン３１を窓１１から表示する場合に、夜間のような周囲が暗い場合に全てを点灯して白色の発光を行い表示幕３のバックライトとして使用する。この時、表示パターン３１に対して各ＬＥＤ４１ａよりの光の輝度値が均一な状態で表示パターン３１を照明することが必要である。
【００１６】
そこで、本発明にあっては図４に示すように、各ユニット４１の前面に格子状の遮光体４２を取付けて、各ＬＥＤ４１ａを遮光体４２で囲むと共に、ＬＥＤ４１ａを遮光体４２に対して奥まって配置することで、表示パターン３１に対して均一な輝度で照明することができ、また、ＬＥＤ表示手段４で文字や図柄を表示する場合にも、隣接する異なる色で点灯したＬＥＤ４１ａよりの光が干渉して滲むのを防止できる。
【００１７】
次に、前記した構成に基づいて動作を説明するに、本発明の情報表示装置は河川の近くに設置される内容の表示パターン３１が描かれている表示幕３の場合を示しているが、表示幕３の表示パターン３１としては設置される場所によって異なることは当然のことである。
【００１８】
先ず、表示幕３によって文字や図柄を表示する場合には、表示しようとする表示パターン３１が描かれている表示幕３が巻かれている巻取り軸２１がケース１における表示面の裏面に近い位置になるようにサーボモータ２３を駆動して支持板２２を回転させ、前記位置に巻取り軸２１が来たなら前記サーボモータ２３を停止し、次いで、表示面の裏面に近い位置にある巻取り軸２１のサーボモータ２４における電磁クラッチを解除すると、表示幕３の下端に取付けられている重りの自重により巻取り軸２１が巻取り方向とは逆の方向に回転するので、表示幕３は垂れ下がり該表示幕３の表示パターン３１が窓１１の位置に達して停止する。
【００１９】
この状態において選択された表示パターン３１が窓１１を介して表示されるが、夜間等の周囲環境が暗くなり表示パターン３１が見にくくなった場合には、ＬＥＤ表示手段４に通電してＬＥＤ４１ａによる発光色を白色としてバックライトとして表示パターン３１を照明する。そして、前記表示パターン３１に代えて他の表示パターン３１を表示する場合には、前記表示されている表示幕３を前記サーボモータ２４を逆回転させて巻取り、表示しようとする表示幕３が巻かれている巻取り軸２１を選択して前記した動作を繰り返すことで行える。なお、サーボモータ２３，２４の回転量はコンピュータ制御によって行うことが望ましい。
【００２０】
前記表示パターン３１のバックライトとしてＬＥＤ表示手段４を点灯する場合に、前記したように各ＬＥＤ４１ａを格子状の遮光体４２で囲っているので、表示パターン３１に対して均一な輝度で照明でき、また、後述するＬＥＤ表示手段４を点灯して文字や図柄を表示する場合に、隣接するＬＥＤ４１ａからの光が干渉するのを防止できる。
【００２１】
前記した表示パターン３１の表示状態において、図５（ａ）に示すイベント情報、図５（ｂ）に示す緊急情報、図５（ｃ）に示す注意情報等のように、イベント日や通行止めの場所、日付や温度を示す数字（何れも図５では○印で示してある）のように一定でなく変更される内容を表示する場合には、表示されている表示幕３の巻取り軸２１をサーボモータ２４を駆動して巻取り、窓１１から直接ＬＥＤ表示手段４が見えるようにする。
【００２２】
次いで、ＬＥＤ表示手段４を制御（例えば、道路管理事務所から電話回線等を介してデータを送信）して、前記図５に示す何れかの情報をＬＥＤ４１ａを点灯（例えば、注意を促す文字は赤色にするなど適宜色彩で表示）することで、ＬＥＤ４１ａによる表示パターンが窓１１を介して表示される。
【００２３】
本発明の実施例において、表示幕３に変えてＬＥＤ表示に全て切り換えるのではなく、表示幕３に日付などの前記図５に示す○印の部分を透明な部分となし、この透明な部分の数字や文字をＬＥＤ４１ａで表示するようにしてもよく、また、ＬＥＤ４１ａで図５の表示パターンを照明する場合には、例えば、図５（ａ）は赤色の輝度が弱冠高い白色表示を、図５（ｃ）は青緑色の輝度が高い白色表示を行うことで、表示パターンに対する心象を一層高めることができる。
【００２４】
なお、前記した実施例にあっては、複数の巻取り軸２１にそれぞれ１つの表示パターン３１を描いた表示幕３を巻き取り、各巻取り軸２１を回転することで表示パターン３１を変更する機構について説明したが、本出願人が先に提案した実開昭６０−１６３４８６号公報のように、巻取り軸に巻いた表示幕を共通の展張機構によって上方に巻き上げる方法の字幕表示手段を用いてもよい。
【００２５】
また、従来の字幕式表示装置と同様に、ケース１の上下、あるいは、左右に巻取り手段を配置したものであってもよく、また、表示幕をエンドレス状に形成したものであってもよい。この場合、表示幕の一か所に透明部を形成し、ＬＥＤ表示手段４によって表示パターンを表示する場合には、前記透明部をケース１の窓１１に位置させて、該透明部を介してＬＥＤ４１ａによる表示を行うようにする。
【図面の簡単な説明】
【００２６】
【図１】本発明に係る情報表示装置の一実施例を示す正面図である。
【図２】同上の断面図である。
【図３】（ａ）〜（ｃ）は各種の表示パターンを表した表示幕の展開正面図である。
【図４】（ａ）はＬＥＤ表示手段のＬＥＤと表示幕との関係を説明するための側面図、（ｂ）は斜視図である。
【図５】ＬＥＤ表示手段によって表示する情報の一例を示す正面図である。
【符号の説明】
【００２７】
１          ケース
１１        窓
２          表示幕巻取り手段
２１        巻取り軸
２２        支持板
２３，２４  サーボモータ
３          表示幕
３１        表示パターン
３２        重り
４          ＬＥＤ表示手段
４１        ユニット
４１ａ      ＬＥＤ
４２        遮光体
【図１】
2006113231.tif 000003
【図２】
2006113231.tif 000004
【図３】
2006113231.tif 000005
【図４】
2006113231.tif 000006
【図５】
2006113231.tif 000007